(57)【要約】【課題】安定した形状に簡単に組み立てられ、場所をとらずに設置でき、優れた陳列効果を得られる陳列用仕切体を提供する。【解決手段】仕切板１の下端に底板２を連設して、底板２を水平方向へ折り曲げ、底板２で仕切板１を起立状態に支持し、仕切板１の前延部１ａで表示部９を形成した陳列用仕切体において、仕切板１の端縁下部と底板２とをコーナー片６で連結することにより、仕切板１と底板２との折曲角度を維持する。また、表示部１は、二枚重ねとした各仕切板１の前延部１ａの間隔を前方へかけて広げ、各前延部１ａから延びる前面板３を重ね合わせて形成し、前面板３に設けた切抜部４の端縁から表示板５を前方へ突出させる。【選択図】図３
2007319334.tif 000002
【特許請求の範囲】
【請求項１】
仕切板の下端に底板を連設して、底板を水平方向に折り曲げ、底板で仕切板を起立状態に支持し、仕切板の前延部で表示部を形成した陳列用仕切体において、前記仕切板の端縁下部と底板とをコーナー片で連結することにより、仕切板と底板との折曲角度を維持したことを特徴とする陳列用仕切体。
【請求項２】
請求項１に記載の陳列用仕切体において、前記表示部は、二枚重ねとした各仕切板の前延部の間隔を前方へかけて広げ、各前延部から延びる前面板を重ね合わせて形成したことを特徴とする陳列用仕切体。
【請求項３】
請求項２に記載の陳列用仕切体において、前記表示部の前面板に切抜部を設け、この切抜部の端縁から表示板を前方へ突出させたことを特徴とする陳列用仕切体。
【請求項４】
請求項１に記載の陳列用仕切体において、前記表示部は、二枚重ねとした各仕切板の前延部を離反方向に湾曲させて対向させ、前延部の端縁から延出した端板を折り曲げて保形するものとしたことを特徴とする陳列用仕切体。
【発明の詳細な説明】
【技術分野】
【０００１】
この発明は、店頭の棚に設置して、商品の陳列スペースを区画する陳列用仕切体に関するものである。
【背景技術】
【０００２】
従来、この種の陳列用仕切体として、下記特許文献１には、図７に示すように、前面板５１を介して繋がった二枚の仕切板５２の下端に底板５３を連設して、両底板５３を水平に相反する方向へ折り曲げ、仕切板５２の離反を防止するため、その下部を切り込んで形成した各底板５３の係合片５４，５５を係合させ、底板５３で仕切板５２を起立状態に支持し、前面板５１と前方へかけて間隔が広くなった仕切板５２の前延部５２ａとにより、棚から前方へ突出する表示部５６を形成したものが記載されている。
【０００３】
【特許文献１】登録実用新案第３０８６３８５号公報
【発明の開示】
【発明が解決しようとする課題】
【０００４】
しかしながら、上記のような仕切体では、店頭での組立作業に手間がかかるほか、組立状態で底板が仕切板の両側へ広がるため、棚上での設置面積が大きくなり、設置場所が制約されるという問題もある。
【０００５】
また、陳列時に仕切板が不安定なため、商品が仕切板に凭れると、仕切板と表示部とが傾いて、陳列効果が損なわれることがあり、店内の買物客から認知されにくく、訴求性が十分得られない場合もある。
【０００６】
そこで、この発明は、安定した形状に簡単に組み立てられ、場所をとらずに設置でき、優れた陳列効果を得られる陳列用仕切体を提供することを課題とする。
【課題を解決するための手段】
【０００７】
上記課題を解決するため、この発明では、仕切板の下端に底板を連設して、底板を水平方向に折り曲げ、底板で仕切板を起立状態に支持し、仕切板の前延部で表示部を形成した陳列用仕切体において、前記仕切板の端縁下部と底板とをコーナー片で連結することにより、仕切板と底板との折曲角度を維持したのである。
【０００８】
また、前記表示部は、二枚重ねとした各仕切板の前延部の間隔を前方へかけて広げ、各前延部から延びる前面板を重ね合わせて形成し、さらに、この表示部の前面板に切抜部を設け、この切抜部の端縁から表示板を前方へ突出させたのである。
【０００９】
なお、前記表示部は、二枚重ねとした各仕切板の前延部を離反方向に湾曲させて対向させ、前延部の端縁から延出した端板を折り曲げて保形するものとしてもよい。
【発明の効果】
【００１０】
この陳列用仕切体では、底板を仕切板の片側にのみ折り曲げるので、扁平な状態からの組み立てを迅速に行うことができ、陳列時に棚上で場所をとることがなく、既に陳列されている商品を移動させたりせずに、新たな陳列区画を設定できる。
【００１１】
そして、仕切板と底板との折曲角度が直角に維持されるので、仕切板が直立状態で安定し、表示部の傾きが防止されて、体裁のよい陳列が可能となる。
【００１２】
また、表示部の切抜部分からさらに表示板を突出させると、正面からだけでなく、側方からの認知性を高めることができ、陳列効果が向上する。
【００１３】
そのほか、表示部を、仕切板の前延部を湾曲させ、端板で保形したものとしても、立体感により認知性を高めることができ、陳列効果が向上する。
【発明を実施するための最良の形態】
【００１４】
この発明の第１実施形態を図１乃至図３に基づいて説明する。
【００１５】
この陳列用仕切体は、図１に示す板紙製ブランクから形成される。このブランクでは、二枚の仕切板１が後端で連結され、一方の仕切板１の下端には二枚の底板２が順次連設されている。各仕切板１の前部には前延部１ａが設けられ、その前端には前面板３が切抜部４を挟んで上下に分割されて設けられている。一方の前面板３の先端には差込片３ａが設けられ、他方の前面板３の基端には差込穴３ｂが設けられている。
【００１６】
一方の切抜部４には、前延部１ａへ切れ込んだ端縁に二枚の表示板５が順次連設され、その先端には貼着片５ａが設けられている。先方の底板２の一側には、円板を四等分した形状のコーナー片６が連設され、その一側には差込片６ａが設けられている。各前延部１ａの下部には切込１ｂが設けられ、コーナー片６側の切込１ｂに形成された受止片７の基端には差込穴７ａが設けられている。
【００１７】
このブランクから仕切体を製造するには、図２に示すように、二枚の仕切板１を折り重ねて、前延部１ａ以外の部分で貼り合わせると共に、二枚の底板２を折り重ねて貼り合わせる。また、二枚の表示片５も折り重ねて、貼着片５ａを反対側の前延部１ａの裏面に貼り付ける。なお、一面の仕切板１と底板２とにわたって、組立状態での折曲角度の保持を確実にするため、アルミニウム板等の塑性変形する金属板８を貼り付けておいてもよい。
【００１８】
このようにブランクを折り曲げて貼り付けた仕切体は、扁平な状態となっているので、嵩張ることなく、効率的に店頭へ配送することができる。
【００１９】
そして、この仕切体を店頭で使用する際には、図３に示すように、仕切板１から底板２を直角をなすように水平方向へ折り曲げた後、受止片７を底板２の方向へ折り曲げ、コーナー片６を上方へ折り曲げて、差込片６ａを差込穴７ａに差し込み、仕切板１と底板２との折曲角度を維持する。
【００２０】
また、各仕切板１の前延部１ａの間隔を前方へかけて広げ、各前延部１ａから延びる前面板３を重ね合わせ、差込片３ａを差込穴３ｂに差し込んで表示部９を形成し、表示板５を前方へ突出させ、このように組み立てた状態で、仕切体を棚に載せ、仕切板１の切込１ｂに棚の桟を係合させる。
【００２１】
上記のような陳列用仕切体では、底板１を仕切板２の片側にのみ折り曲げるので、扁平な状態からの組み立てを迅速に行うことができ、陳列時に棚上で場所をとることがなく、既に陳列されている商品を移動させたりせずに、新たな陳列区画を設定できる。
【００２２】
また、底板２は、仕切板１に対し左右どちらにも折り曲げることができるので、左右別型を製作する必要がなく、コストを抑制でき、輸送時や保管時の管理の手間もかからず、陳列時の使い分けに戸惑うこともない。
【００２３】
そして、仕切板１と底板２との折曲角度が直角に維持されるので、仕切板１が直立状態で安定し、表示部９の傾きが防止されて、体裁のよい陳列が可能となり、また、表示部９の切抜部４からさらに表示板５が突出するので、正面からだけでなく、側方からの認知性を高めることができ、陳列効果が向上する。
【００２４】
また、使用後に廃棄する際、仕切板１と底板２とにわたって金属板を貼り付けたものでは、これを引き剥がし、紙のみからなるものでは、そのままの状態で、通常の可燃ごみとして、容易に廃棄することができる。
【００２５】
次に、この発明の第２実施形態を図４乃至図６に基づいて説明する。
【００２６】
この陳列用仕切体は、図４に示す板紙製ブランクから形成される。このブランクでは、二枚の仕切板１が後端で連結され、一方の仕切板１の下端には二枚の底板２が順次連設されている。一方の仕切板１の前部には２枚の前延部１ａが順次設けられ、その先端には貼着片１０が設けられている。
【００２７】
各前延部１ａの弧状に湾入した上下端縁には、膨出弧状の端縁を有する端板１１が連設され、その一方の先端には差込片１１ａが、他方の基端には差込穴１１ｂがそれぞれ設けられている。
【００２８】
先方の底板２の一側には、円板を四等分した形状のコーナー片６が連設され、その一側には差込片６ａが設けられている。各仕切板１の下部には切込１ｂが設けられ、コーナー片６側の切込１ｂに形成された受止片７の基端には差込穴７ａが設けられている。
【００２９】
このブランクから仕切体を製造するには、図５に示すように、二枚の仕切板１を折り重ねて、前延部１ａ以外の部分で貼り合わせると共に、二枚の底板２を折り重ねて貼り合わせる。なお、一面の仕切板１と底板２とにわたって、組立状態での折曲角度の保持を確実にするため、アルミニウム板等の塑性変形する金属板８を貼り付けておいてもよい。
【００３０】
このようにブランクを折り曲げて貼り付けた仕切体は、扁平な状態となっているので、嵩張ることなく、効率的に店頭へ配送することができる。
【００３１】
そして、この仕切体を店頭で使用する際には、図６に示すように、仕切板１から底板２を直角をなすように水平方向へ折り曲げた後、受止片７を底板２の方向へ折り曲げ、コーナー片６を上方へ折り曲げて、差込片６ａを差込穴７ａに差し込み、仕切板１と底板２との折曲角度を維持する。
【００３２】
また、各仕切板１の前延部１ａを離反方向に湾曲させて対向させ、上下の端板１１を折り重ね、差込片１１ａを差込穴１１ｂに差し込んで表示部９を形成し、このように組み立てた状態で、仕切体を棚に載せ、仕切板１の切込１ｂに棚の桟を係合させる。
【００３３】
上記のような陳列用仕切体でも、扁平な状態から組み立てを迅速に行うことができ、陳列時に棚上で場所をとることがなく、既に陳列されている商品を移動させたりせずに、新たな陳列区画を設定できる。
【００３４】
また、底板２は、仕切板１に対し左右どちらにも折り曲げることができるので、左右別型を製作する必要がなく、コストを抑制でき、輸送時や保管時の管理の手間もかからず、陳列時の使い分けに戸惑うこともない。
【００３５】
そして、仕切板１と底板２との折曲角度が直角に維持されるので、仕切板１が直立状態で安定し、表示部９の傾きが防止されて、体裁のよい陳列が可能となる。また、表示部９が湾曲しているので、立体感により認知性を高めることができ、陳列効果が向上する。
【００３６】
また、使用後に廃棄する際、仕切板１と底板２とにわたって金属板を貼り付けたものでは、これを引き剥がし、紙のみからなるものでは、そのままの状態で、通常の可燃ごみとして、容易に廃棄することができる。
【００３７】
なお、上記各実施形態では、底板２を二枚重ねとしたが、底板２は、一枚のみから成るものであってもよい。
【００３８】
また、コーナー片６は、仕切板１と底板２とを前部で連結するものとしたが、後部で連結するようにしてもよい。
【００３９】
そのほか、ブランクの材料として、板紙を使用したが、プラスチックシートを使用するようにしてもよい。
【図面の簡単な説明】
【００４０】
【図１】この発明の第１実施形態に係る仕切体のブランクを示す図
【図２】同上の折曲貼付加工した扁平状態を示す斜視図
【図３】同上の組立状態を示す斜視図
【図４】この発明の第２実施形態に係る仕切体のブランクを示す図
【図５】同上の折曲貼付加工した扁平状態を示す斜視図
【図６】同上の組立状態を示す斜視図
【図７】従来の仕切体の組立状態を示す斜視図
【符号の説明】
【００４１】
１  仕切板
１ａ  前延部
２  底板
３  前面板
３ａ  差込片
３ｂ  差込穴
４  切抜部
５  表示板
５ａ  貼着片
６  コーナー片
６ａ  差込片
７  受止片
７ａ  差込穴
８  金属板
９  表示部
１０  貼着片
１１  端板
１１ａ  差込片
１１ｂ  差込穴
【図１】
2007319334.tif 000003
【図２】
2007319334.tif 000004
【図３】
2007319334.tif 000005
【図４】
2007319334.tif 000006
【図５】
2007319334.tif 000007
【図６】
2007319334.tif 000008
【図７】
2007319334.tif 000009